(57)【要約】【課題】空気調和機本体に記憶された情報を簡単に取り出すことができる空気調和機を提供する。【解決手段】空気調和機１の運転履歴情報及び故障情報のうちの少なくとも一つの情報を記憶する記憶部４１と、前記情報の全部又は一部の送信を依頼する、外部からの送信依頼信号を受信する受信部４２と、前記受信部４２を介して前記送信依頼信号が入力された場合、該送信依頼信号に対応する情報を前記記憶部４１から読み出し、読み出した前記情報に基づいて表示ランプ２を点滅させて外部へ前記情報を出力させる制御部４０と、を備える。【選択図】図３
2012237495.tif 000002
【特許請求の範囲】
【請求項１】
少なくとも一つの表示ランプを有する空気調和機において、
前記空気調和機の運転履歴情報及び故障情報のうちの少なくとも一つの情報を記憶する記憶部と、
前記情報の全部又は一部の送信を依頼する、外部からの送信依頼信号を受信する受信部と、
前記受信部を介して前記送信依頼信号が入力された場合、該送信依頼信号に対応する情報を前記記憶部から読み出し、読み出した前記情報に基づいて前記表示ランプを点滅させて外部へ前記情報を出力させる制御部と、
を備えることを特徴とする空気調和機。
【請求項２】
前記制御部は、前記記憶部から読み出した前記情報を、所定の変調方式で変調されたシリアル信号として前記表示ランプに入力し、該シリアル信号に基づいて前記表示ランプを点滅させることを特徴とする請求項１に記載の空気調和機。
【請求項３】
前記受信部は、外部からのリモコン信号を受信するリモコン受信部であることを特徴とする請求項１又は請求項２に記載の空気調和機。
【請求項４】
前記表示ランプは、発光ダイオードであることを特徴とする請求項１から請求項３のいずれか一項に記載の空気調和機。
【請求項５】
前記表示ランプは、前記空気調和機の運転ランプであることを特徴とする請求項１から請求項４のいずれか一項に記載の空気調和機。
【請求項６】
前記空気調和機は、複数の表示ランプを備え、
前記制御部は、前記空気調和機の運転履歴情報及び故障情報のうちの少なくとも一つの情報の種別を判定する情報判定部と、
前記情報判定部の判定結果に基づいて、前記記憶部のうち前記情報を格納すべき記憶領域及びそのアドレスを指定するアドレス管理部と、
前記アドレス管理部で指定された前記記憶領域のアドレスに前記情報を格納する書込制御部と、
前記アドレス管理部により指定された前記記憶領域のアドレスから前記情報を読み出す読出制御部と、を備え、
前記受信部を介して前記送信頼信号が入力された場合、前記読出制御部は、前記送信依頼信号に基づいて前記アドレス管理部により指定された前記記憶領域のアドレスから前記情報を並列的に読み出し、前記複数の表示ランプをそれぞれ点滅させることを特徴とする請求項１から請求項４のいずれか一項に記載の空気調和機。
【請求項７】
前記複数の表示ランプは、前記空気調和機の運転ランプ、除湿ランプ、タイマーランプ、イオンミストランプから選択される少なくとも２つの表示ランプであることを特徴とする請求項６に記載の空気調和機。
【発明の詳細な説明】
【技術分野】
【０００１】
本発明は、空気調和機の情報を外部から読み取らせる技術に関する。
【背景技術】
【０００２】
従来、空気調和機本体を分解することなく、運転履歴情報や故障情報を得る手段が提案されていた。
例えば、特許文献１には、空気調和機本体との間で双方向ワイヤレス通信を行うことができるリモコンを用いて、空気調和機本体を分解することなく運転履歴情報を得るワイヤレスリモコンシステムについて開示されている。当該ワイヤレスリモコンシステムでは、空気調和機本体の記憶手段から運転履歴データを読み出してリモコンで受信し、そのデータをコンピュータに転送することにより、空気調和機の運転履歴情報を得ることができる。
また、特許文献２には、室内機と室外機との間に空気調和機データ交換装置を接続し、一方から送信されてきた信号を、空気調和機データ交換装置を介して他方に送信することによって空気調和機本体の運転履歴情報や故障情報を読み出す技術について開示されている。
【先行技術文献】
【特許文献】
【０００３】
【特許文献１】特開平６−３１３６１０号公報
【特許文献２】特開２００６−１３８５１８号公報
【発明の概要】
【発明が解決しようとする課題】
【０００４】
しかし、特許文献１に記載のワイヤレスリモコンシステムでは、リモコンと空気調和機本体の両方に、運転履歴情報の受信部と送信部を併せ持つ必要があり、リモコンと空気調和機本体の価格が高くなるという問題がある。
また、特許文献２に記載の空気調和機データ交換装置では、室内機と室外機の間に空気調和機用データ交換装置を接続するため、室内機と室外機を接続する電線を取り外す必要があり、手間が掛かるという問題がある。
【０００５】
そこで、本発明は、空気調和機本体に記憶された情報を簡単に取り出すことができる空気調和機を提供することを課題とする。
【課題を解決するための手段】
【０００６】
前記課題を解決するために、本発明は、少なくとも一つの表示ランプを有する空気調和機において、前記空気調和機の運転履歴情報及び故障情報のうちの少なくとも一つの情報を記憶する記憶部と、前記情報の全部又は一部の送信を依頼する、外部からの送信依頼信号を受信する受信部と、前記受信部を介して前記送信依頼信号が入力された場合、該送信依頼信号に対応する情報を前記記憶部から読み出し、読み出した前記情報に基づいて前記表示ランプを点滅させて外部へ前記情報を出力させる制御部と、を備えることを特徴とする。
【発明の効果】
【０００７】
本発明により、空気調和機本体に記憶された情報を簡単に取り出すことができる空気調和機を提供することができる。
【図面の簡単な説明】
【０００８】
【図１】本発明の第１実施形態に係る空気調和機の外観斜視図である。
【図２】空気調和機の制御装置の回路構成図である。
【図３】空気調和機から運転履歴情報等を読み出す場合のシステム構成例を示す図である。
【図４】空気調和機の中央処理装置における処理の全体の流れを示すフローチャートである。
【図５】空気調和機の中央処理装置におけるデータ送信処理の流れを示すフローチャートである。
【図６】受光器及びインタフェース装置における信号の流れを示す構成図である。
【図７】（ａ）は中央処理装置から出力される信号の波形図であり、（ｂ）は受光器から出力される信号の波形図であり、（ｃ）は波形整形部から出力される信号の波形図であり、（ｄ）は波形補正部から出力される信号の波形図である。
【図８】本発明の第２実施形態に係る空気調和機の外観斜視図である。
【図９】空気調和機の制御装置の回路構成図である。
【図１０】空気調和機から運転履歴情報等を読み出す場合のシステム構成例を示す図である。
【発明を実施するための形態】
【０００９】
本発明の実施形態について、適宜図面を参照しながら詳細に説明する。なお、各図において、共通する部分には同一の符号を付し、重複した説明を省略する。
【００１０】
≪第１実施形態≫
図１は、本発明の第１実施形態に係る空気調和機の外観斜視図である。空気調和機１は、室内ファン（図示せず）が連結されたファンモータ（図示せず）、空気調和機１の吹出口（図示せず）に設けられているフラップ（図示せず）を揺動させるためのアクチュエータ（図示せず）、室内熱交換機（図示せず）、室内温度等を検出する温度センサ（図示せず）等を備える。
なお、上記の各機器については、図示及びその説明を省略する。また、空気調和機１は、商用電源（図示せず）から供給される交流電力により駆動し、周知の冷媒サイクルにより室内温度の調整等を行う。
【００１１】
図１に示すように、空気調和機１の例えば正面の下部斜面に、空気調和機１の運転状態を示す表示ランプ２が設置されている。ちなみに、図１では、表示ランプ２が実際の大きさよりも大きめに記載されている。表示ランプ２は発光ダイオードであり、空気調和機１に内蔵された制御装置４（図２参照）によって制御され、点灯、消灯、又は点滅することで空気調和機１の運転状態を示す運転ランプとして機能する。
例えば、外部のリモコン(図示せず)から送信される信号に従って空気調和機１の空調運転を行っている場合、制御装置４は表示ランプ２を点灯させる。また、外部のリモコンから送信される信号に従って空気調和機１の空調運転を停止させた場合、制御装置４は表示ランプ２を消灯させる。また、空気調和機１内の所定機器、例えばファンモータ（図示せず）が故障した場合、制御装置４は当該故障した機器に応じて表示ランプ２を所定の回数だけ点滅させ、ユーザに異常を知らせる。
【００１２】
また、制御装置４（図２参照）は、運転履歴情報及び故障情報のうち少なくとも一つの情報（以下、運転履歴情報等と称する。）の送信依頼信号を、リモコン受信部３を介して外部から受信した場合には、上記送信依頼信号に対応する情報を記憶装置４１（図２参照）から読み出して、表示ランプ２を点滅させる（詳細については後記する）。
このように、制御装置４が外部から運転履歴情報等の送信依頼信号を受信し、それに応じて表示ランプ２を点滅させる場合を「診断モード」と称する。これに対して、制御装置４が外部から運転履歴情報等の送信依頼信号を受信していない場合(例えば、通常の空調運転時)を「通常モード」と称する。
【００１３】
空気調和機１の下部斜面には、外部から送信される信号を受信するリモコン受信部３が設置されている。リモコン受信部３は赤外線受光素子（図示せず）を備え、外部のリモコン（図示せず）から赤外線として送信される信号を受信して、受信した赤外線信号を赤外線受光素子により電流に変換して中央処理装置４０（図２参照）に出力する。
リモコン受信部３は通常モードにおいて、外部のリモコンから運転、温度設定、タイマ、停止等の信号を受信する際に、その受信部として機能する。また、リモコン受信部３は診断モードにおいて、外部から運転履歴情報等の送信依頼信号を受信する際に、その受信部として機能する。
なお、表示ランプ２とリモコン受信部３は近接（例えば、２〜３ｃｍの距離）していてもよいし、離れていてもよい。
【００１４】
図２は、空気調和機の制御装置の回路構成図である。空気調和機１の空調運転時において、制御装置４は、温度センサ等の各センサ（図示せず）から検出される検出信号を監視しながら、各機器の動作を制御する。
なお、空気調和機１の内部に設置された各機器のうち、制御装置４以外の機器については、その詳細な説明を省略する。また、空気調和機１の制御装置４は、通常モードの場合には周知の制御を行うため、以下では主として診断モードの場合について説明する。
【００１５】
また、通常モードと診断モードとの切り替えは、中央処理装置４０によってなされる。すなわち、通常モードにおいて中央処理装置４０は、受信装置４２で受信したリモコン信号に従って、空気調和機１の各機器を駆動させるためのプログラムを記憶装置４１から読み出して実行する。また、診断モードにおいて中央処理装置４０は、受信装置４２で受信した運転履歴情報等の送信依頼情報等に基づいて記憶装置４１から運転履歴情報等を読み出し、シリアル信号として出力して表示ランプ２を点滅させる。
記憶装置４１には、空気調和機１を運転させるためのプログラムが格納されているほか、空気調和機１の運転履歴情報等が格納されている。すなわち、中央処理装置１は記憶装置４１のアドレスを管理し、空気調和機１の各機器（例えば、図示しないファンモータ）に関する運転履歴情報等について、アドレスを指定して記憶装置４１に格納する。
【００１６】
受信装置４２はリモコン受信部３（図１参照）と電気的に接続されており、リモコン受信部３を介して運転履歴情報等の送信依頼信号を受信する。なお、受信装置４２は、通常モードにおいて外部のリモコン（図示せず）から運転指令等の所定の信号を受信する。
図２に示すように、中央処理装置４０は、運転履歴情報等を記憶装置４１から読み出し、シリアル信号として出力してトランジスタ４３をオン／オフさせることによって、表示ランプ２を点滅させる。なお、抵抗４４はトランジスタ４３のベース電流を制限するための抵抗であり、抵抗４５はトランジスタ４３のコレクタ電流を制限するための抵抗であり、ＶＣＣはトランジスタ４３のコレクタ・エミッタ間に所定の電圧を与えるために加えられる直流電圧である。
【００１７】
図３は、空気調和機から運転履歴情報等を読み出す場合のシステム構成例を示す図である。信号送信機２１、受光器２２、インタフェース装置２３、パソコン２４、接続ケーブル２５，２６，２７は、空気調和機１の故障発生時等において、外部から空気調和機１の運転履歴情報等を読み出す際に用いられ、通常は作業員（図示せず）が持参するものである。
信号送信機２１は、空気調和機１の運転履歴情報等を読み出す際に作業員によって設置される。信号送信機２１は、空気調和機１のリモコン受信部３（図１参照）が配置されている位置に外部から設置される。これによってパソコン２４から送信される、運転履歴情報等の送信依頼信号を、信号送信機２１を介してリモコン受信部３に送信することができる。
なお、運転履歴情報等の送信依頼信号の詳細については後記する。
【００１８】
受光器２２は、表示ランプ２から照射される光の明るさを検出して電気信号に変換する。すなわち、受光器２２の内部には明るさの変化を検知するセンサである、フォトダイオード(図示せず)又はフォトトランジスタ（図示せず）等の受光素子が内蔵されており、表示ランプ２から受光素子に照射される光の明るさを検出して、電気信号として出力されるようになっている。
また、受光器２２は、表示ランプ２から照射される光を効率よく受光することができるように、外光（室内の照明器具から照射される光や太陽光など）を遮る構成とすることが好ましい。例えば、受光器２２をドーム型に形成することによって、表示ランプ２が配置されている箇所に受光器２２を設置した際に受光器２２が表示ランプ２を覆うことができる。これによって、受光器２２に内蔵された受光素子（図示せず）に対して照射される外光を遮断し、受光器２２には表示ランプ２からの光のみが照射されるようにすることができる。
また、信号送信機２１及び受光器２２において、空気調和機１の外郭と接触する箇所をゴムを用いて吸盤状に形成することにより、空気調和機１の運転履歴情報等を読み出す際に、信号送信機２１及び受光器２２を空気調和機１の所定の位置に吸着させ、その位置を固定させることができる。
【００１９】
インタフェース装置２３は、空気調和機１の運転履歴情報等を読み出す際に作業員によって接続される。インタフェース装置２３は、接続ケーブル２５を介して信号送信機２１と接続され、接続ケーブル２６を介して受光器２２と接続され、接続ケーブル２７を介してパソコン２４と接続される。
インタフェース装置２３は、接続ケーブル２７を介して運転履歴情報等の送信依頼信号をパソコン２４から受信し、接続ケーブル２５を介して信号送信機２１に伝達する。なお、運転履歴情報等の送信依頼信号は、運転履歴情報等の全部でもよいし、その一部（例えば、ある特定の機器の故障情報）を指定してもよい。
【００２０】
また、インタフェース装置２３は、空気調和機１から送られてきた送信信号と、当該送信信号に含まれる誤り訂正符号とを照合して、正しく信号を受信することができたか否か判断する(詳細は後記する)。また、インタフェース装置２３は、受光器２２によって検出された表示ランプ２の明るさの変化を、中央処理装置４０（図２参照）から送信されたシリアル信号に対応する信号に変換し、接続ケーブル２７を介してパソコン２４に送信する(詳細は後記する)。
【００２１】
パソコン２４は、作業員に空気調和機１の運転履歴情報等の読み出しを決定するための入力を促し、接続ケーブル２７、インタフェース装置２３、接続ケーブル２５を介して運転履歴情報等の送信依頼信号を信号送信機２１に送信する。
また、パソコン２４は、インタフェース装置２３を介して空気調和機１から読み出した信号を解析して、当該信号に対応する運転履歴情報等を表示画面に表示する。これによって、作業員は、空気調和機１の運転履歴情報を容易に知ることができる。なお、パソコン２４には運転履歴情報等の解析ソフトがインストールされているが、その詳細については説明を省略する。
【００２２】
上記の一連の流れを整理すると、次のようになる。まず、パソコン２４が作業員に対し、空気調和機１の運転履歴情報等の読み出しを決定するための入力を促し、接続ケーブル２７を介して運転履歴情報等の送信依頼信号をインタフェース装置２３に送信する。パソコン２４から運転履歴情報等の送信依頼信号を受信したインタフェース装置２３は、接続ケーブル２５を介して、当該信号を信号送信機２１に送信する。インタフェース装置２３から運転履歴情報等の送信依頼信号を受信した信号送信機２１は、当該信号を空気調和機１のリモコン受信部３（図１参照）を介して、制御装置４（図２参照）の受信装置４２（図２参照）に送信する。制御装置４の中央処理装置４０は、受信装置４２において受信された信号を解析して、当該信号が運転履歴情報等の送信依頼信号か判定し（判定の詳細については後記する）、空気調和機１の運転履歴情報等を記憶装置４１から読み出す。さらに、中央処理装置４０は、記憶装置４１から読み出した運転履歴情報等をシリアル信号に変換して、当該シリアル信号に応じてトランジスタ４３（図２参照）をオン／オフさせることによって表示ランプ２を点滅させる。
【００２３】
受光器２２は、表示ランプ２の明るさの変化を電気信号として検出し、接続ケーブル２６を介して当該電気信号をインタフェース装置２３に送信する。受光器２２から表示ランプ２の明るさの変化に対応する電気信号を受信したインタフェース装置２３は、当該電気信号を、中央処理装置４０（図２参照）から送信されたシリアル信号に対応する信号に変換し、接続ケーブル２７を介してパソコン２４に送信する。インタフェース装置２３からシリアル信号を受信したパソコン２４は、当該信号を解析し、これに対応する運転履歴情報等を表示画面に表示する。
なお、インタフェース装置２３における信号の変換処理の詳細については後記する。
【００２４】
図４は、空気調和機の中央処理装置における処理の全体の流れを示すフローチャートである。中央処理装置４０（図２参照）は、ステップＳ１０１で、リモコン受信部３（図１参照）を介して受信装置４２（図２参照）が信号を受信するのを監視している。ステップＳ１０１において、受信装置４２が信号を受信した場合には（ステップＳ１０１→Ｙｅｓ）、ステップＳ１０２に進む。ステップＳ１０１において、受信装置４２が信号を受信していない場合には（ステップＳ１０１→Ｎｏ）、ステップＳ１０１にリターンする。
【００２５】
ステップＳ１０２において、中央処理装置４０は、受信装置４２で受信した信号が「運転履歴情報等の送信依頼信号」であるか否かを判定する。ステップＳ１０２において、受信装置４２が受信した信号が「運転履歴情報等の送信依頼信号」である場合（ステップＳ１０２→Ｙｅｓ）、ステップＳ１０３に進む。ステップＳ１０３において中央処理装置４０は、運転履歴情報等を記憶装置４１（図２参照）から読み出し、運転履歴情報等の送信処理を行う。ここで、運転履歴情報等の送信依頼信号が運転履歴情報等の一部（例えば、ある特定の機器の故障情報）を指定している場合には、中央処理装置４０は、これに対応する運転履歴情報等を記憶装置４１から読み出して送信処理を行う。中央処理装置４０による運転履歴情報等の送信処理が終了すると、ステップＳ１０１にリターンする。
また、受信装置４２で受信した信号が「運転履歴情報等の送信依頼信号」でない場合には（ステップＳ１０２→Ｎｏ）、ステップＳ１０４に進み、中央処理装置４０は通常モードの処理を行う。なお、通常モードの処理とは、外部のリモコンから受信した運転、温度設定、タイマ、停止等の指令に沿った処理のことを意味する。
【００２６】
次に、図４のステップＳ１０３の運転履歴情報等の送信処理について、詳細に説明する。図５は、空気調和機の中央処理装置におけるデータ送信処理の流れを示すフローチャートである。
ステップＳ２０１において中央処理装置４０は、受信装置４２で受信した信号が１ブロック目の送信指令信号か否か判定する。ここで、「ブロック」とは、運転履歴情報等を送信する場合のひとまとまりの情報をいい、記憶装置４１には予め定められた基準に従って、運転履歴情報等が複数のブロックに分割されて記憶されている。例えば、特定の日時に相当する情報を１つの「ブロック」とし、また、空気調和機１の特定の運転履歴情報等を１つの「ブロック」とすることができる。また、特定の日時と当該日時における空気調和機１の運転履歴情報等の組み合わせを１つの「ブロック」とすることもできる。
なお、「１ブロック」、「２ブロック」、・・・の番号は、送信指令信号の内容（日時や運転履歴情報等の送信指令）と対応付けて予め設定されている番号である。
【００２７】
受信装置４２で受信した信号が１ブロック目送信指令信号である場合（ステップＳ２０１→Ｙｅｓ）、中央処理装置４０は記憶装置４１から１ブロック目の運転履歴情報等を読み出す（ステップＳ２０２）。受信装置４２で受信した信号が１ブロック目送信指令信号でない場合（ステップＳ２０１→Ｎｏ）、ステップＳ２０１にリターンする。ステップＳ２０２において中央処理装置４０は、記憶装置４１から１ブロック目の運転履歴情報等を読み出した後、シリアル信号に変換してトランジスタ４３をオン／オフさせ、表示ランプ２を点滅させる（ステップＳ２０３）。
【００２８】
ここで、インタフェース装置２３（図３参照）では、空気調和機１から送られてきた送信信号と、当該送信信号に含まれた誤り訂正符号とを照合して、正しく信号を受信することができたか否かを判断する。正しく信号を受信できた場合にはＡＣＫ信号（Acknowledgement）をリモコン信号として中央処理装置４０に送信し、正しく信号を受信できなかった場合にはＮＡＣＫ信号（Negative Acknowledgment）をリモコン信号として中央処理装置４０に送信する。中央処理装置４０は、１ブロック目信号を送信した後に、受信装置４２を介してインタフェース装置２３から受信するリモコン信号が、ＡＣＫ信号かＮＡＣＫ信号か否かを判定する（ステップＳ２０４）。
【００２９】
１ブロック目信号を送信した後に中央処理装置４０が受信した信号がＡＣＫ信号であった場合（Ｓ２０４→ＡＣＫ）、ステップＳ２０５に進む。１ブロック目信号を送信した後に中央処理装置４０が受信する信号が、ＮＡＣＫ信号であった場合（Ｓ２０４→ＮＡＣＫ）、ステップＳ２０１にリターンする。次に、ステップＳ２０５において中央処理装置４０は、受信装置４２で受信した信号が２ブロック目送信指令信号か否かを判定する。以下同様にして、中央処理装置４０は、２ブロック目、３ブロック目、・・・と処理を進めていく。そして中央処理装置４０は、すべてのブロックの運転履歴情報等を送信し終わると、通信を終了する。
【００３０】
次に、図６及び図７を用いて、表示ランプ２の点滅から運転履歴情報等を読み取る処理について説明する。図６は、受光器及びインタフェース装置における信号の流れを示す構成図である。図７の（ａ）は中央処理装置から出力される信号の波形図であり、（ｂ）は受光器から出力される信号の波形図であり、（ｃ）は波形整形部から出力される信号の波形図であり、（ｄ）は波形補正部から出力される信号の波形図である。
図７（ａ）に示すように、中央処理装置４０から送信されるシリアル信号は、パルスの立ち上がりの時間間隔は一定であるが、オンするパルスの時間が短い場合には“０”を表し、オンするパルスの時間が長い場合には“１”を表す、いわゆるＰＷＭ（Pulse Width Modulation）変調が用いられている。
【００３１】
中央処理装置４０から送信されるシリアル信号（図７（ａ）参照）に従って、制御装置４のトランジスタ４３（図２参照）はオン／オフに制御され、トランジスタ４３のオン／オフに伴って表示ランプ２が点滅する。そして、受光器２２（図３参照）に内蔵されたフォトトランジスタ等（図示せず）が、表示ランプ２から照射される光を検出して、電気信号に変換する。
ここで、図６に示すように、受光器２２は受光部２２１と増幅部２２２とを備える。受光部２２１は、フォトトランジスタ等の受光素子からなり、表示ランプ２から照射された光を受光して電流を発生させる。増幅部２２２は、受光部２２１で発生した電流をトランジスタ（図示せず）等によって増幅させ、当該電流を抵抗（図示せず）に流すことによって電圧の変化として出力する。増幅部２２２から出力された信号は、接続ケーブル２６（図３参照）を介してインタフェース装置２３（図３参照）に入力される。
【００３２】
ここで、受光器２２の増幅部２２２から出力される信号の波形は、図７（ｂ）のようになる。すなわち、受光器２２からは、中央処理装置４０から出力されるシリアル信号に対応した矩形波が出力されるわけではなく、図７（ｂ）に示すように立ち上がり・立下りが滑らかな信号波形となる。これは、中央処理装置４０（図２参照）から矩形波のシリアル信号が出力され、それに応じたタイミングで表示ランプ２が点滅したとしても、表示ランプ２から放出される光の光度が矩形波状に変化せず、時間的に微分可能な波形として変化することによる。
【００３３】
インタフェース装置２３は、波形整形部２３１と波形補正部２３２とを備える。受光器２２から出力された信号（図７（ｂ）参照）は、接続ケーブル２６を介してインタフェース装置２３の波形整形部２３１に入力される。
波形整形部２３１は、受光器２２から接続ケーブル２６を介して受信した滑らかな波形の信号（図７（ｂ）参照）を矩形波の信号（図７（ｃ）参照）に変換する。すなわち、波形整形部２３１は、受光器２２から受信した信号が所定電圧Ａ以上である場合には電圧Ｈ（例えば、５Ｖ）を出力し、受光器２２から受信した電圧信号が所定電圧Ａより小さい場合には電圧Ｌ（例えば、０Ｖ）を出力する。なお、上記所定電圧Ａは、予め設定された値である。
【００３４】
図７（ａ）に示すように、空気調和機１の中央処理装置４０から出力されるシリアル信号のうち、“０”に対応する箇所では、オンするパルスの時間が短いため、表示ランプ２の発光時間も短くなる。この場合、図７（ｂ）に示すように、受光器２２から出力される信号は立ち上がりから立ち下がりまでの時間が短く、鋭い波形となる。したがって、図７（ｃ）に示すように、この鋭い波形のうち所定電圧Ａ以上となる時間Δｔ１は比較的短い時間となる。
【００３５】
これに対して、図７（ａ）に示すように、空気調和機１の中央処理装置４０から出力されるシリアル信号のうち、“１”に対応する箇所では、オンするパルスの時間が長いため、表示ランプ２の発光時間も長くなる。この場合、図７（ｂ）に示すように、受光器２２から出力される信号は立ち上がりから立ち下がりまでの時間が長くなる。したがって、図７（ｃ）に示すように、当該波形のうち所定電圧Ａ以上となる時間Δｔ２は比較的長い時間となる。
【００３６】
したがって、図７（ｃ）に示すように、インタフェース装置２３の波形整形部２３１から出力される信号のうち、空気調和機１の中央処理装置４０から出力される信号の“０”に対応する箇所では、電圧Ｈとなっている時間Δｔ１は比較的短くなる。ただし、“０”に対応する箇所において電圧Ｈとなっている時間（Δｔ１）が全て同一になるとはかぎらず、誤差が生じる。
一方、図７（ｃ）に示すように、インタフェース装置２３の波形整形部２３１から出力される信号のうち、空気調和機１の中央処理装置４０から出力される信号の“１”に対応する箇所では、電圧Ｈとなっている時間Δｔ２は比較的長くなる。ただし、“１”に対応する箇所において電圧Ｈとなっている時間（Δｔ２）が全て同一になるとはかぎらず、誤差が生じる。
【００３７】
インタフェース装置２３において、波形整形部２３１から出力された信号は、波形補正部２３２に入力される。図６に示すように、波形補正部２３２は、バッファ２３２ａ、比較手段２３２ｂ、波形整形手段２３２ｃ、クロックパルス発生手段２３２ｄを備える。
波形補正部２３２では、波形整形部２３１から出力された信号を修正し、空気調和機１の中央処理装置４０から出力されたシリアル信号と同様のシリアル信号を生成する。
バッファ２３２ａは、波形整形部２３１と波形補正部２３２との処理速度の差を補うために一時的にデータを保存する記憶装置である。比較手段２３２ｂは、波形整形部２３１から出力された信号に関して、電圧Ｈとなっている時間と所定時間Δｔ３（Δｔ１＜Δｔ３≦Δｔ２）との長短を比較して、比較結果を逐次、波形生成手段２３２ｃに出力する。なお、上記の所定時間Δｔ３は、予め設定された値である。
【００３８】
波形整形部２３１から出力された信号に関して、電圧Ｈとなっている時間（例えば、Δｔ１：図７（ｃ）参照）がΔｔ３未満である場合には、比較手段２３２ｂは波形生成手段２３２ｃに対して電圧Ｌ（例えば、０Ｖ）を出力する。一方、波形整形部２３１から出力された信号に関して、電圧Ｈとなっている時間（例えば、Δｔ２：図７（ｃ）参照）がΔｔ３以上である場合には、比較手段２３２ｂは、波形生成手段２３２ｃに対して電圧Ｈ（例えば、５Ｖ）を出力する。
つまり、比較手段２３２ｂは波形生成手段２３２ｃに対して、空気調和機１の中央処理装置４０から出力される２値信号の系列（図７（ａ）では、“０１０１１００”の２値信号）に対応したオン／オフの信号（“ＬＨＬＨＨＬＬ”の信号）を出力する。
【００３９】
波形生成手段２３２ｃには、クロックパルス発生手段２３２ｄから所定周波数のクロックパルスが入力され、比較手段２３２ｂからオン／オフの信号が入力される。波形生成手段２３２ｃは、比較手段２３２ｂから入力されたオン／オフの信号にしたがって、ＰＷＭ制御により図７（ｄ）に示すシリアル信号を生成し、接続ケーブル２６（図３参照）を介してパソコン２４に出力する。図７（ａ）及び（ｄ）に示すように、波形生成手段２３２ｃから出力されるシリアル信号は、空気調和機１の中央処理装置４０から出力されるシリアル信号と同様の波形となっている。
【００４０】
上記の構成をとることにより、本実施形態に係る空気調和機１では、空気調和機１を分解することなく、空気調和機１と室外機（図示せず）とを接続する電線を取り外すことなく、空気調和機１に記録された運転履歴情報等を外部から簡単に取り出すことができる。また、これに伴い空気調和機１のリモコン受信部３（図１参照）は、受信専用の安価な構成にすることができ、空気調和機１全体も安価なものとなる。さらに、本実施形態に係る空気調和機１では、故障発生時の故障原因や故障箇所の特定を早く確実に行うことができる。
【００４１】
また、空気調和機１の表示ランプ２及びリモコン受信部３は、通常、ユーザから視認されやすい位置（図１では、空気調和機１の正面の下部斜面）に設置されている。したがって本実施形態に係る空気調和機１では、作業員が運転履歴情報等を取得する際にも、信号送信機２１及び受光器２２の取り付け位置を容易に特定することができるとともに、取り付け自体も容易になる。
さらに、外光を遮る形状の受光器２２を使用することにより、表示ランプ２からの光を受光器２２が効率よく受光することができる。したがって、運転モードの場合と同様の光度で表示ランプ２を点滅させても、受光器２２は当該表示ランプ２から照射される光を確実に検出することができる。
【００４２】
≪第２実施形態≫
第１実施形態に係る空気調和機１では、１個の表示ランプ２を備える場合について説明した。第２実施形態に係る空気調和機１Ａ（図８参照）では、複数の表示ランプ２ａ，２ｂ，２ｃを備え、この複数の表示ランプ２ａ，２ｂ，２ｃを用いて空気調和機１Ａの運転履歴情報等を取得する場合について説明する。
【００４３】
図８は、本発明の第２実施形態に係る空気調和機の外観斜視図である。空気調和機１Ａは、複数個の表示ランプ２ａ，２ｂ，２ｃを備えている。
なお、図８では、各表示ランプ２ａ，２ｂ，２ｃの大きさは実際の表示ランプよりも大きめに記載されている。各表示ランプは、例えば、運転ランプ２ａ、除湿ランプ２ｂ、タイマーランプ２ｃである。運転ランプ２ａについては上記で説明したので、省略する。除湿ランプ２ｂは、外部のリモコン（図示せず）からの赤外線信号に従って、空気調和機１Ａの除湿運転中に点灯するランプである。またタイマーランプ２ｃは、外部のリモコン（図示せず）からの赤外線信号に従って、空気調和機１Ａのタイマ予約時に点灯するランプである。
なお、運転ランプ２ａ、除湿ランプ２ｂ、タイマーランプ２ｃは、発光ダイオードである。また、ユーザが認識しやすいように、運転ランプ２ａ、除湿ランプ２ｂ、タイマーランプ２ｃのそれぞれを異なる色の発光ダイオードとすることができる。例えば、運転ランプ２ａを緑色、除湿ランプ２ｂを黄色、タイマーランプ２ｃを橙色に発光させることができる。
【００４４】
図９は、空気調和機の制御装置の回路構成図である。中央処理装置４０は、情報判定部４０１、書込制御部４０２、アドレス管理部４０３、読出制御部４０４を備える。
情報判定部４０１には、空気調和機１の各機器（例えば、図示しないファンモータ）の運転履歴情報等が逐次入力される。さらに情報判定部４０１は、入力された運転履歴情報等が、どの機器の運転履歴情報等であるかを判定して、運転履歴情報等とその判定結果とを対応付けて、アドレス管理部４０３に出力する。
アドレス管理部４０３は、情報判定部４０１から出力された運転履歴情報等とその判定結果に基づいて、記憶装置４１の第１メモリ領域４１ａ、第２メモリ領域４１ｂ、第３メモリ領域４１ｃのうち、上記運転履歴情報等を格納すべき１つのメモリ領域及びそのアドレスを指定する。さらにアドレス管理部４０３は、上記運転履歴情報等とそれを格納すべきメモリ領域のアドレスとを対応付けて書込制御部４０２に入力する。
書込制御部４０２は、アドレス管理部４０３から入力された情報に従って、運転履歴情報等を第１メモリ領域４１ａ、第２メモリ領域４１ｂ、第３メモリ領域４１ｃのいずれかのメモリ領域の所定のアドレスに格納する。
【００４５】
例えば、ファンモータ（図示せず）の運転履歴情報が中央処理装置４０に入力された場合、情報判定部４０１は、予め登録されている複数の機器の中から上記運転履歴情報がファンモータに関しての運転履歴情報であると判定する。当該判定は、各機器から送信される運転履歴情報において、機器ごとに予め割り振られた所定の識別子を付して、当該識別子を情報判定部４０１に認識させるようにすればよい。さらに情報判定部４０１は、上記運転履歴情報とその判定結果（ファンモータ）をアドレス管理部４０３に出力する。
アドレス管理部４０３は、例えば、第１メモリ領域４１ａの中の特定のアドレスを指定して、ファンモータの運転履歴情報と対応付けて書込制御部４０２に出力する。書込制御部４０２は、アドレス管理部４０３から指定された第１メモリ領域のアドレスに、ファンモータの上記運転履歴情報を格納する。
【００４６】
なお、各機器の運転履歴情報等を第１メモリ領域４１ａ、第２メモリ領域４１ｂ、第３メモリ領域４１ｃのうち、どのメモリ領域に格納すべきかについては、予めアドレス管理部４０３に設定されている。
例えば、ファンモータ（図示せず）の運転履歴情報等は第１メモリ領域４１ａに格納し、圧縮機（図示せず）の運転履歴情報等は第２メモリ領域４１ｂに格納し、消費電力の履歴情報等は第３メモリ領域４１ｃに格納するよう、アドレス管理部４０３を予め設定することができる。
【００４７】
一方、リモコン受信部３及び受信装置４２を介して外部から運転履歴等の送信依頼信号が入力された場合には、アドレス管理部４０３は、当該運転履歴情報に対応する情報が格納された記憶装置４１のメモリ領域４１ａ，４１ｂ，４１ｃのアドレスをそれぞれ指定し、読出制御部４０４に出力する。読出制御部４０４は、アドレス管理部４０３から指定された各
メモリ領域４１ａ，４１ｂ，４１ｃのアドレスから、該当する運転履歴情報等を並列的に読み出して、各トランジスタ４３ａ，４３ｂ，４３ｃに出力して表示ランプ２ａ，２ｂ，２ｃを点滅させる。
【００４８】
読出制御部４０４によって第１メモリ領域４１ａから読み出された運転履歴情報等は、シリアル信号としてトランジスタ４３ａに対して出力され、それに応じて表示ランプ２ａが点滅する。また、読出制御部４０４によって第２メモリ領域４１ｂから読み出された運転履歴情報等は、シリアル信号としてトランジスタ４３ｂに対して出力され、それに応じて表示ランプ２ｂが点滅する。また、読出制御部４０４によって第３メモリ領域４１ｃから読み出された運転履歴情報等は、シリアル信号としてトランジスタ４３ｃに対して出力され、それに応じて表示ランプ２ｃが点滅する。
【００４９】
なお、アドレス管理部４０３による上記のアドレス指定、及び、当該アドレス指定に従った読出制御部４０４による運転履歴情報等の読み出しは、各メモリ領域４１ａ，４１ｂ，４１ｃに対して並列的に実行される。したがって、各メモリ領域４１ａ，４１ｂ，４１ｃから運転履歴情報等がシリアル信号としてそれぞれ読み出され、それに応じて表示ランプ２ａ，２ｂ，２ｃが並列的に点滅することになる。
【００５０】
図１０は、空気調和機から運転履歴情報等を読み出す場合のシステム構成例を示す図である。図１０は、第１実施形態で説明した図３と比較して、接続ケーブル２６が２６ａ，２６ｂ，２６ｃに分岐し、接続ケーブル２６ａには受光器２２ａが接続され、接続ケーブル２６ｂには受光器２２ｂが接続され、接続ケーブル２６ｃには、受光器２２ｃが接続されている部分が異なるが、その他の部分は図３と同様である。したがって、当該異なる部分について主に説明し、その他の部分についての説明は省略する。ちなみに、図１０においてインタフェース装置２３に接続された接続ケーブル２６は１本線で図示されているが、接続ケーブル２６ａ，２６ｂ，２６ｃが絶縁体で分離されて接着されているものとする。
受光器２２ａ，２２ｂ，２２ｃは、それぞれ発光ダイオード４５ａ，４５ｂ，４５ｃに対応して、各々の発光ダイオードから照射される光を受光するように設置される。受光器２２ａ，２２ｂ，２２ｃの形状は、上記で説明したように例えばドーム形にして、外光（室内の照明器具からの光や太陽光等）がフォトトランジスタ等の受光素子（図示せず）に照射されないように、発光ダイオード４５ａ，４５ｂ，４５ｃをそれぞれ覆うような形状とすることが好ましい。
【００５１】
受光器２２ａ，２２ｂ，２２ｃは、それぞれ、図９に示す読出制御部４０４によって第１メモリ領域４１ａ，第２メモリ領域４１ｂ，第３メモリ領域４１ｃから読み出される運転履歴情報等（シリアル信号）に応じて点滅する。そして、インタフェース装置２３は、受光器２２ａ，２２ｂ，２２ｃから出力された信号（図７（ｂ）参照）のそれぞれに対して、図６に示す波形整形部２３１及び波形補正部２３２において矩形波のシリアル信号に変換する。さらに、インタフェース装置２３は、上記の各シリアル信号をパラレル信号としてパソコン２４に出力する。
なお、インタフェース装置２３は、上記の各シリアル信号を記憶部（図示せず）にいったん記憶させ、その記憶部から各シリアル信号を順次読み出してパソコン２４に出力してもよい。上記の出力順序については、予め設定することができる。
インタフェース装置２３から運転履歴情報等を受信したパソコン２４は、当該運転履歴情報等を所定の解析ソフトを用いて解析し、その結果を表示部に表示する。
【００５２】
以上説明したように、本実施形態に係る空気調和機１Ａでは、中央処理装置４０が記憶装置４１の各メモリ領域に記憶された運転履歴情報等を並列的に読み出して、複数個の表示ランプ（２ａ，２ｂ，２ｃ）をそれぞれ点滅させる構成となっている。したがって、点滅させる表示ランプの個数に応じて、運転履歴情報等の読み取りを高速化することができ、作業員の負担を軽減させることができる。例えば、図１０に示すように、３個の受光器２２ａ，２２ｂ，２２ｃを使用する場合には、運転履歴情報等の読取時間はおよそ３分の１になると考えられる。
【００５３】
なお、上記では、空気調和機１の各機器に対応して、それぞれの機器の運転履歴情報等を第１メモリ領域４１ａ、第２メモリ領域４１ｂ、第３メモリ領域４１ｃに格納する場合について説明したが、これに限らない。例えば、一つの機器（例えば、ファンモータ）についての運転履歴情報等を、その機器の識別情報と日時情報と運転履歴等の内容を含んで構成し、格納する記憶領域（第１メモリ領域４１ａ、第２メモリ領域４１ｂ、第３メモリ領域４１ｃ）を所定の時間ごとに切り替えてもよい。なお、上記の切り替えはアドレス管理部４０３によって行われる。
この場合には、ある特定の機器の運転履歴情報のみを取り出す場合にも、その機器に関する情報を各メモリ領域４１ａ，４１ｂ，４１ｃに分散して記憶させ、各メモリ領域４１ａ，４１ｂ，４１ｃから読み出した運転履歴情報等に応じて表示ランプ２ａ，２ｂ，２ｃを並列的に点滅させることができる。したがって、特定の機器の運転履歴情報のみを取り出す場合にも読み取りを高速化することができ、作業員の負担を軽減させることができる。
【００５４】
また、図１０では、受光器２２ａ，２２ｂ，２２ｃが分離された構成となっているが、受光器２２ａ，２２ｂ，２２ｃを連結した構成としてもよい。この場合には、受光器が、その受光対象となる表示ランプ（例えば、受光器２２ａの場合には、表示ランプ２ａ）以外の表示ランプからの光を受光しないように、各受光器の間に仕切りを設ける必要がある。
また、図１０では表示ランプ２ａ，２ｂ，２ｃの３個の表示ランプが設置されている場合について説明したが、これに限らない。すなわち、表示ランプは２個でもよいし、４個以上でもよい。また、上記の説明では、各表示ランプが運転ランプ２ａ、除湿ランプ２ｂ、タイマーランプ２ｃである場合について説明したが、これに限らない。すなわち、表示ランプとして運転ランプ、除湿ランプ、タイマーランプ、イオンミストランプから選択される少なくとも２つの表示ランプを使用することができる。なお、イオンミストランプは、浮遊カビや花粉等の抑制を目的として所定のイオン発生素子（図示せず）を運転させている場合に発光する表示ランプである。
また、図１０では、表示ランプ２ａ，２ｂ，２ｃの３個の表示ランプの全てを点滅させる場合について説明したが、これに限らない。点滅させる表示ランプの個数は、設置された表示ランプの個数（図１０では３個）より少なくてもよい。
【符号の説明】
【００５５】
１，１Ａ  空気調和機
２，２ａ，２ｂ，２ｃ  表示ランプ
３  リモコン受信部
４  制御装置
４０  中央処理装置（制御部）
４０１  情報判定部
４０２  書込制御部
４０３  アドレス管理部
４０４  読出制御部
４１  記憶装置（記憶部）
４１ａ  第１メモリ領域（記憶領域）
４１ｂ  第２メモリ領域（記憶領域）
４１ｃ  第３メモリ領域（記憶領域）
４２  受信装置（受信部）
４３，４３ａ，４３ｂ，４３ｃ  トランジスタ
２１  信号送信機
２２，２２ａ，２２ｂ，２２ｃ  受光器
２２１  受光部
２２２  増幅部
２３  インタフェース装置
２３１  波形整形部
２３２  波形補正部
２３２ａ  バッファ
２３２ｂ  比較手段
２３２ｃ  波形生成手段
２３２ｄ  クロックパルス発生手段
２４  パソコン
２５，２６，２６ａ，２６ｂ，２６ｃ，２７  接続ケーブル
【図１】
2012237495.tif 000003
【図２】
2012237495.tif 000004
【図３】
2012237495.tif 000005
【図４】
2012237495.tif 000006
【図５】
2012237495.tif 000007
【図６】
2012237495.tif 000008
【図７】
2012237495.tif 000009
【図８】
2012237495.tif 000010
【図９】
2012237495.tif 000011
【図１０】
2012237495.tif 000012